【手続補正書】
【提出日】平成18年1月24日(2006.1.24)
【手続補正１】
【補正対象書類名】明細書
【補正対象項目名】特許請求の範囲
【補正方法】変更
【補正の内容】
【特許請求の範囲】
【請求項１】  画像情報を読み取るスキャナ部と、被転写体を収納する給紙部と、当該給紙部から給紙された被転写体に前記スキャナ部で読み取った画像情報を形成する作像部と、前記スキャナ部の下方に設けられた空間に被転写体を排出する排紙部と、当該排紙部から排出された被転写体を前記スキャナ部の底面と当該底面に対向する面とで形成される排紙空間に積載する排紙トレイとを有する画像形成装置において、前記排紙部により排出された被転写体の先端が接触しない前記スキャナ部の底面領域に、前記スキャナ部の底面から下方に突出する障害形状部の全部又は一部を配置したことを特徴とする画像形成装置。
【請求項２】  請求項１に記載の画像形成装置において、前記障害形状部に対する前記被転写体排出方向上流側に、被転写体の先端を下方へ案内するガイド部を配置したことを特徴とする画像形成装置。
【請求項３】  請求項２に記載の画像形成装置において、前記ガイド部は、前記障害形状部より突起していることを特徴とする画像形成装置。
【請求項４】  請求項２に記載の画像形成装置において、前記ガイド部は、被転写体排出方向の上流側よりも下流側の方の幅が広がっていることを特徴とする画像形成装置。
【請求項５】  請求項２、３又は４に記載の画像形成装置において、前記ガイド部は、スキャナ部の底板に他の部材を設置した設置部であることを特徴とする画像形成装置。
【請求項６】  請求項２、３又は４に記載の画像形成装置において、前記ガイド部は、スキャナ部の底板の切り曲げ形状部であることを特徴とする画像形成装置。
【請求項７】  請求項２、３又は４に記載の画像形成装置において、前記ガイド部は、スキャナ部の底板の絞り形状部であることを特徴とする画像形成装置。
【手続補正２】
【補正対象書類名】明細書
【補正対象項目名】０００９
【補正方法】変更
【補正の内容】
【０００９】
【課題を解決するための手段】
上記目的を達成するために、請求項１の本発明は、画像情報を読み取るスキャナ部と、被転写体を収納する給紙部と、当該給紙部から給紙された被転写体に前記スキャナ部で読み取った画像情報を形成する作像部と、前記スキャナ部の下方に設けられた空間に被転写体を排出する排紙部と、当該排紙部から排出された被転写体を前記スキャナ部の底面と当該底面に対向する面とで形成される排紙空間に積載する排紙トレイとを有する画像形成装置において、前記排出部により排出された被転写体の先端が接触しない前記スキャナ部の底面領域に前記スキャナ部の底面から下方に突出する障害形状部の全部又は一部を配置した画像形成装置であることを最も主要な特徴とする。
【手続補正３】
【補正対象書類名】明細書
【補正対象項目名】００１０
【補正方法】変更
【補正の内容】
【００１０】
請求項２の本発明は、請求項１に記載の画像形成装置において、前記障害形状部に対する前記被転写体排出方向上流側に、被転写体の先端を下方へ案内するガイド部を配置したことを主要な特徴とする。
【手続補正４】
【補正対象書類名】明細書
【補正対象項目名】００１１
【補正方法】変更
【補正の内容】
【００１１】
請求項３の本発明は、請求項２に記載の画像形成装置において、前記ガイド部が、前記障害形状部より突起していることを主要な特徴とする。
【手続補正５】
【補正対象書類名】明細書
【補正対象項目名】００１２
【補正方法】変更
【補正の内容】
【００１２】
請求項４の本発明は、請求項２に記載の画像形成装置において、前記ガイド部が、被転写体排出方向の上流側よりも下流側の方の幅が広がっていることを主要な特徴とする。
【手続補正６】
【補正対象書類名】明細書
【補正対象項目名】００１３
【補正方法】変更
【補正の内容】
【００１３】
請求項５の発明は、請求項２、３又は４に記載の画像形成装置において、前記ガイド部が、スキャナ部の底板に他の部材を設置した設置部であることを主要な特徴とする。
【手続補正７】
【補正対象書類名】明細書
【補正対象項目名】００１４
【補正方法】変更
【補正の内容】
【００１４】
請求項６の発明は、請求項２、３又は４に記載の画像形成装置において、前記ガイド部が、スキャナ部の底板の切り曲げ形状部であることを主要な特徴とする。
【手続補正８】
【補正対象書類名】明細書
【補正対象項目名】００１５
【補正方法】変更
【補正の内容】
【００１５】
請求項７の発明は、請求項２、３又は４に記載の画像形成装置において、前記ガイド部が、スキャナ部の底板の絞り形状部であることを主要な特徴とする。
【手続補正９】
【補正対象書類名】明細書
【補正対象項目名】００１６
【補正方法】削除
【補正の内容】
【手続補正１０】
【補正対象書類名】明細書
【補正対象項目名】００４８
【補正方法】変更
【補正の内容】
【００４８】
【発明の効果】
本発明は、以上説明したように構成されているので、請求項１の発明によれば、被転写体に画像情報を形成する作像部を内包する装置筐体の上方に空間を隔てて配設されてオリジナル画像情報を読み取り電気信号に変換して作像部に供給するスキャナ部の、被転写体の先端が接触しない底面領域に、スキャナ部の底面から下方に突出する障害形状部の全部又は一部を配置して画像を形成するようにしたので、作像部とその上方に配置されたスキャナ部の装置筐体内空間に被転写体を排紙しても、ジャム等の発生を防止して、被転写体の積載枚数を減少することなく小型化が可能で、低コストの画像形成装置を提供することが出来るようになった。
【手続補正１１】
【補正対象書類名】明細書
【補正対象項目名】００４９
【補正方法】変更
【補正の内容】
【００４９】
請求項２の発明によれば、スキャナ部の、被転写体の先端が接触しない底面領域に、スキャナ部の底面から下方に突出する障害形状部の全部又は一部を配置すると共に前記障害形状部に対する前記被転写体排出方向上流側に、被転写体の先端を下方へ案内するガイド部を配置したので、作像部とその上方に配置されたスキャナ部の装置筐体内空間に被転写体を排紙して接触領域面内に障害形状部の一部が配置された場合にも、被転写体の障害形状部に引っ掛かりによる傷やジャム等の発生を防止して、被転写体の積載枚数を減少することなく小型化が可能で、低コストの画像形成装置を提供することが出来るようになった。
【手続補正１２】
【補正対象書類名】明細書
【補正対象項目名】００５０
【補正方法】削除
【補正の内容】
【手続補正１３】
【補正対象書類名】明細書
【補正対象項目名】００５１
【補正方法】変更
【補正の内容】
【００５１】
請求項３の発明によれば、前記ガイド部が、前記障害形状部より突起しているので、作像部とその上方に配置されたスキャナ部の装置筐体内空間に被転写体を排紙して接触領域面内に障害形状部の一部が配置された場合にも、被転写体の障害形状部に引っ掛かりによる傷やジャム等の発生を確実に防止して、被転写体の積載枚数を減少することなく小型化が可能で、低コストの画像形成装置を提供することが出来るようになった。
【手続補正１４】
【補正対象書類名】明細書
【補正対象項目名】００５２
【補正方法】変更
【補正の内容】
【００５２】
請求項４の発明によれば、前記ガイド部が、被転写体排出方向の上流側よりも下流側の方の幅が広がっているので、作像部とその上方に配置されたスキャナ部の装置筐体内空間に被転写体を排紙して接触領域面内に障害形状部の一部が配置された場合にも、被転写体の障害形状部に引っ掛かりによる傷やジャム等の発生を確実に防止して、被転写体の積載枚数を減少することなく小型化が可能で、低コストの画像形成装置を提供することが出来るようになった。
【手続補正１５】
【補正対象書類名】明細書
【補正対象項目名】００５３
【補正方法】変更
【補正の内容】
【００５３】
請求項５の発明によれば、前記ガイド部が、スキャナ部の底板に他の部材を設置した設置部であるので、簡単な構造で加工も簡単で、作像部とその上方に配置されたスキャナ部の装置筐体内空間に被転写体を排紙して接触領域面内に障害形状部の一部が配置された場合にも、被転写体の障害形状部に引っ掛かりによる傷やジャム等の発生を防止して、被転写体の積載枚数を減少することなく小型化が可能で、更に低コストの画像形成装置を提供することが出来るようになった。
【手続補正１６】
【補正対象書類名】明細書
【補正対象項目名】００５４
【補正方法】変更
【補正の内容】
【００５４】
請求項６の発明によれば、前記ガイド部が、スキャナ部の底板の切り曲げ形状部であるので、簡単な構造で加工も簡単で、作像部とその上方に配置されたスキャナ部の装置筐体内空間に被転写体を排紙して接触領域面内に障害形状部の一部が配置された場合にも、被転写体の障害形状部に引っ掛かりによる傷やジャム等の発生を防止して、被転写体の積載枚数を減少することなく小型化が可能で、更に低コストの画像形成装置を提供することが出来るようになった。
【手続補正１７】
【補正対象書類名】明細書
【補正対象項目名】００５５
【補正方法】変更
【補正の内容】
【００５５】
請求項７の発明によれば、前記ガイド部が、スキャナ部の底板の絞り形状部であるので、簡単な構造で加工も簡単で、作像部とその上方に配置されたスキャナ部の装置筐体内空間に被転写体を排紙して接触領域面内に障害形状部の一部が配置された場合にも、被転写体の障害形状部に引っ掛かりによる傷やジャム等の発生を防止して、被転写体の積載枚数を減少することなく小型化が可能で、更に低コストの画像形成装置を提供することが出来るようになった。